【手続補正書】
【提出日】平成20年5月21日(2008.5.21)
【手続補正１】
【補正対象書類名】明細書
【補正対象項目名】特許請求の範囲
【補正方法】変更
【補正の内容】
【特許請求の範囲】
【請求項１】  カバーを水平な軸線を中心として倒伏位置と起立位置との間で回動可能に支持するカバー回動支持装置において、
水平に配置された枢軸と、
前記カバーに取付けられるとともに、前記枢軸が挿通され且つ前記枢軸を中心として描かれるカム面が形成されたヒンジカムと、
このヒンジカムの下側に水平に配置された負荷ローラと、
この負荷ローラを回転自在に支持するローラ軸と、
前記枢軸と前記ローラ軸とに亘って張設され、前記負荷ローラに弾性力を作用させることで前記負荷ローラを前記ヒンジカムのカム面に接触させる弾性部材と、
前記枢軸を水平位置に着脱可能に支持する枢軸支持部と、前記負荷ローラを昇降可能に支持するローラ支持部とを有するヒンジホルダと、を具備することを特徴とするカバー回動支持装置。
【手続補正２】
【補正対象書類名】明細書
【補正対象項目名】０００１
【補正方法】変更
【補正の内容】
【０００１】
【発明の属する技術分野】
本発明は、カバーを水平な軸線を中心として倒伏位置と起立位置との間で回動可能に支持するとともに、前記カバーを倒伏位置および起立位置に保持するカバー回動支持装置に関する。
【手続補正３】
【補正対象書類名】明細書
【補正対象項目名】０００２
【補正方法】変更
【補正の内容】
【０００２】
【従来の技術】
複写機では、複写機構が設けられた複写機本体の上面部に、水平に載置した原稿に記載されている情報を読取る原稿読取り部が設けられている。この原稿読取り部には、上下方向に回動して原稿読取り部を開閉するカバーが設けられている。
すなわち、このカバーは、水平な軸線を中心として、水平に倒伏して原稿読取り部に載置されている原稿を押える倒伏位置（閉塞位置）と、略垂直に起立して原稿読取り部から離間して原稿の取出し作業および載置作業を可能とする起立位置（開放位置）との間を回動するように複写機本体に設けられている。そして、複写機本体およびカバーには、カバーを回動可能に支持するとともに倒伏位置および起立位置に夫々保持して、倒伏位置でのカバーの浮上りおよび起立位置でのカバーの転倒を抑えるカバー回動支持装置が設けられている。
【手続補正４】
【補正対象書類名】明細書
【補正対象項目名】０００３
【補正方法】変更
【補正の内容】
【０００３】
従来、このカバー回動支持装置としては図６に示す構成が採用されている。すなわち、図６において、１は複写機本体、２はカバーである。複写機本体１には、ヒンジホルダ１１が設けられている。ヒンジホルダ１１は、上端が開放され下端が閉塞された例えば縦形の筒体をなすとともに、上方へ立ち上がる腕部１１ａを有している。このヒンジホルダ１１には、上端が閉塞され下端が開放された縦形の筒体からなる負荷部材１２が昇降可能に挿入されている。この負荷部材１２の内側に位置して、ヒンジホルダ１１の下端で支持されて負荷部材１２に対して上向きのばね力を加える圧縮コイルばね１３が設けられている。
また、ヒンジホルダ１１の腕部１１ａには水平な枢軸１４が取付けられ、この枢軸１４には起立位置で下縁部となるカバー２の縁部が回転自在に支持されている。このカバー２の縁部には、ヒンジカム１５が取付けられている。ヒンジカム１５は、枢軸１４を中心として描かれる円弧が連続するカム面１５ａを有し、このカム面１５ａに圧縮コイルばね１３により押上げられている負荷部材１２の上端が下側から押し付けられている。
ヒンジカム１５のカム面１５ａは、例えばカバー２が倒伏位置（仮想線で示す）Ａにある時に負荷部材１２に接触する部分と枢軸１４の中心軸線との間の距離が大きく、カバー２が起立位置（実線で示す）Ｂにある時に負荷部材１２に接触する部分と枢軸１４の中心軸線との間の距離が小さくなるように設定されている。すなわち、負荷部材１２は、ヒンジカム１５を介してカバー２に対してその停止時および回動時に負荷を与えて動きを抑制するものである。
【手続補正５】
【補正対象書類名】明細書
【補正対象項目名】０００５
【補正方法】変更
【補正の内容】
【０００５】
【発明が解決しようとする課題】
しかし、このようなカバー回動支持装置においては、カバー２側に設ける構成部品であるヒンジカム１５は、カバー２が回動する時に枢軸１４を中心として回転するが、複写機本体１側に設ける構成部品である負荷部材１２は、ヒンジカム１５のカム面１５ａに接触する上端面が常に一定の部位で変化しない。
すなわち、負荷部材１２の上端面は、ヒンジカム１５に対してすべり接触（摺接）するので、ヒンジカム１５に対する負荷部材１２の摩擦抵抗が大きい。このため、ヒンジカム１５が回動する上での抵抗、すなわちカバー２を回動させる際の抵抗が大きく、カバーを円滑に回動させることが難しい。
【手続補正６】
【補正対象書類名】明細書
【補正対象項目名】０００６
【補正方法】変更
【補正の内容】
【０００６】
また、負荷部材１２の上端面における特定の箇所のみがヒンジカム１５にすべり接触するので、摩耗の進行が速い。このため、ヒンジカム１５のカム面１５ａに対する負荷部材１２の接触状態が変化して、カバー２の回動状態が変動するという問題もある。
【手続補正７】
【補正対象書類名】明細書
【補正対象項目名】０００８
【補正方法】変更
【補正の内容】
【０００８】
【課題を解決するための手段】
上記目的を達成するため、本発明の一つの形態に係るカバー回動支持装置は、
カバーを水平な軸線を中心として倒伏位置と起立位置との間で回動可能に支持するカバー回動支持装置であって、
水平に配置された枢軸と、
前記カバーに取付けられるとともに、前記枢軸が挿通され且つ前記枢軸を中心として描かれるカム面が形成されたヒンジカムと、
このヒンジカムの下側に水平に配置された負荷ローラと、
この負荷ローラを回転自在に支持するローラ軸と、
前記枢軸と前記ローラ軸とに亘って張設され、前記負荷ローラに弾性力を作用させることで前記負荷ローラを前記ヒンジカムのカム面に接触させる弾性部材と、
前記枢軸を水平位置に着脱可能に支持する枢軸支持部と、前記負荷ローラを昇降可能に支持するローラ支持部とを有するヒンジホルダと、を具備することを特徴としている。
【手続補正８】
【補正対象書類名】明細書
【補正対象項目名】０００９
【補正方法】変更
【補正の内容】
【０００９】
この発明の構成によれば、カバーとともにヒンジカムが回転すると、ヒンジカムのカム面に接触する負荷ローラが回転し、カム面に対し負荷ローラがころがり接触する。このため、カバーが円滑に回動するとともに、負荷ローラは簡素な構成で常に安定してヒンジカムのカム面に接触する。
【手続補正９】
【補正対象書類名】明細書
【補正対象項目名】００１１
【補正方法】変更
【補正の内容】
【００１１】
この実施の形態は、本発明のカバー回動支持装置を、複写機における複写機本体の上面部に設けた原稿読取り部に装備される原稿押え用のカバー（原稿カバー）を回動可能に支持するために適用したものである。図１はカバーを倒伏した（閉塞した）状態の複写機を示す斜視図、図２はカバーを起立した（開放した）状態の複写機を示す斜視図である。
【手続補正１０】
【補正対象書類名】明細書
【補正対象項目名】００１３
【補正方法】変更
【補正の内容】
【００１３】
すなわち、カバー回動支持装置３０は、カバー２３を水平な軸線を中心として、水平に倒伏して原稿読取り部２２に載置されている原稿を上側から押える倒伏位置（閉塞位置）Ａと、略垂直に起立して原稿読取り部２２から離間して原稿の取出し作業および載置作業を可能とする起立位置（開放位置）Ｂとの間を回動するように支持し、且つカバー２３を倒伏位置Ａおよび起立位置Ｂに夫々保持して、倒伏位置Ａでのカバー２３の浮上りおよび起立位置Ｂでのカバー２３の転倒を防止する。
【手続補正１１】
【補正対象書類名】明細書
【補正対象項目名】００１４
【補正方法】変更
【補正の内容】
【００１４】
カバー回動支持装置３０について図３ないし図５を参照して説明する。図３はカバー２３が起立位置Ｂにある時のカバー回動支持装置３０を示す斜視図、図４はカバー２３が倒伏位置Ａにある時のカバー回動支持装置３０を示す断面図、図５はカバー２３が起立位置Ｂにある時のカバー回動支持装置３０を示す断面図である。
カバー回動支持装置３０は、同じ構成のものがカバー２３の左右両端部に対応して設けられてカバー２３の両端部を支持しており、且つ複写機本体２１とカバー２３の両方に亘って構成部品が設けられている。
複写機本体２１の上面後部にはヒンジホルダ３１が設けられている。このヒンジホルダ３１は、ローラ支持部３２と一対のヒンジ腕３３とを有している。ローラ支持部３２は、複写機本体２１（原稿読取り部２２）の上面から内部に入り込んで設けられた凹部をなすもので、上端面が開放されるとともに所定深さの下端面が閉塞された直方体をなしている。一対のヒンジ腕３３は、ローラ支持部３２の幅方向両側に位置して複写機本体２１（原稿読取り部２２）の上面から上側へ突出するもので、夫々同じ高さ位置に枢軸支持部３４が形成されている。これら枢軸支持部３４は、後述するカバー２３の枢軸３６を水平に支持するもので、枢軸３６を着脱できるように複写機本体２１（原稿読取り部２２）の前部に面して開放されている。
【手続補正１２】
【補正対象書類名】明細書
【補正対象項目名】００１６
【補正方法】変更
【補正の内容】
【００１６】
また、ヒンジカム３５の外周面には、枢軸３６を中心として描かれる円弧が連続するカム面３８が形成されている。このカム面３８は、カバー２３が倒伏位置Ａにある時にヒンジホルダ３１のローラ支持部３２に面する円弧のカム面部３８ａと、カバー２３が起立位置Ｂにある時にヒンジホルダ３１のローラ支持部３２に面する円弧のカム面部３８ｂと、これらカム面部３８ａとカム面部３８ｂとが交叉する境界点３８ｃとを有している。
カム面部３８ａは枢軸３６からの半径がカム面部３８ｂの半径に比較して大きく、カム面部３８ｂは枢軸３６からの半径がカム面部３８ａの半径に比較して小さく、境界点３８ｃは半径が異なるカム面部３８ａとカム面部３８ｂとが交叉する角部となっている。
【手続補正１３】
【補正対象書類名】明細書
【補正対象項目名】００１８
【補正方法】変更
【補正の内容】
【００１８】
そして、この負荷ローラ３９は、ヒンジカム３５のカム面３８の下側に枢軸３６と平行に配置され、複写機本体２１に設けられたヒンジホルダ３１のローラ支持部３２にその上端開口から上下動可能に挿入されている。ヒンジカム３５に設けられた枢軸３６の両方の端部と、これら枢軸３６の両方の端部に対向する負荷ローラ３９に設けられたローラ軸４０の両方の端部との間には、夫々弾性部材の一例として引張りコイルばね４１が張設されている。
これにより、負荷ローラ３９は引張りコイルばね４１により常時ヒンジカム３５のカム面３８側に引張られて、その外周面がカム面３８に押圧接触している。このようにして負荷ローラ３９とヒンジカム３５のカム面３８とは互いに接触した状態で組立てられている。すなわち、負荷部材である負荷ローラ３９は、ヒンジカム３５を介してカバー２３に対してその停止時および回動時に負荷を与えて動きを抑制するものである。
【手続補正１４】
【補正対象書類名】明細書
【補正対象項目名】００１９
【補正方法】変更
【補正の内容】
【００１９】
このように組立てられたカバー回動支持装置３０の作用について説明する。
カバー２３は、複写機本体２１のヒンジホルダ３１に支持された枢軸３６に支持されて倒伏位置Ａと起立位置Ｂとの間を上下方向に回動する。ヒンジカム３５は、カバー２３と一体に枢軸３６を中心として同じ方向へ回動する。この場合、ヒンジカム３５のカム面３８には、引張りコイルばね４１により引き上げられている負荷ローラ３９の外周面が常時接触する。
【手続補正１５】
【補正対象書類名】明細書
【補正対象項目名】００２０
【補正方法】変更
【補正の内容】
【００２０】
図４に示すようにカバー２３が倒伏位置Ａにある時は、ヒンジカム３５のカム面３８のカム面部３８ａが下部に位置するようにヒンジカム３５が回動し、カム面部３８ａが負荷ローラ３９の外周面に接触する。カム面部３８ａは枢軸３６からの半径が大きいので、カム面３８が引張りコイルばね４１のばね力に抗して負荷ローラ３９を最も押し下げて引張りコイルばね４１を引張る。これにより、引張りコイルばね４１の反力により負荷ローラ３９がカム面部３８ａに押圧接触する。
このようにしてヒンジカム３５は、半径が大きいカム面部３８ａの部分で負荷ローラ３９に接触することにより、カム面３８が倒伏位置Ａにあるカバー２３を効果的なカム面の形態で保持してみだりに浮上らないように押えている。
カム面３８の境界点３８ｃは、カム面部３８ａと負荷ローラ３９の接触点に対して後側に位置する。カバー２３を上側へ回動させるためには、引張りコイルばね４１のばね力に抗してカム面３８の境界点３８ｃが負荷ローラ３９の外周面との接触点を乗越える必要がある。そのため、引張りコイルばね４１のばね力を上回る上向きの力をカバー２３に加えなければならず、みだりにカバー２３が上向きに回動することはない。
カバー２３を倒伏位置Ａから上向きに回動させる場合には、引張りコイルばね４１のばね力を上回る上向きの力をカバー２３に加えて、ヒンジカム３５のカム面３８の境界点３８ｃを負荷ローラ３９の外周面を越えさせる。カバー２３と一体にヒンジカム３５が回動すると、そのカム面３８に接触する負荷ローラ３９も摩擦によりローラ軸４０を中心に回転する。このため、ヒンジカム３５は、負荷ローラ３９のころがり接触により負荷部材による大きな抵抗がなく円滑且つ軽快に回動し、カバー２３も円滑に回動する。負荷ローラ３９は、ヒンジカム３５を介してカバー２３に負荷を加えているので、カバー２３が急激に回動することがなく安全である。
【手続補正１６】
【補正対象書類名】明細書
【補正対象項目名】００２１
【補正方法】変更
【補正の内容】
【００２１】
図５に示すようにカバー２３が起立位置Ｂにある時には、ヒンジカム３５のカム面３８のカム面部３８ｂが下部に位置するようにヒンジカム３５が回動し、カム面部３８ｂが負荷ローラ３９の外周面に接触する。カム面部３８ｂは枢軸３６からの半径が小さいので、負荷ローラ３９は引張りコイルばね４１に引張られてヒンジホルダ３１のローラ支持部３２内部を上昇移動してカム面部３８ｂに接触する。これにより、カバー２３がみだりに転倒しないように起立位置Ｂに保持される。
このようにしてヒンジカム３５は、半径が小さいカム面部３８ｂの部分で負荷ローラ３９に接触することにより、カム面３８が起立位置Ｂにあるカバー２３を効果的なカム面の形態で保持してみだりに転倒しないように押えている。
カム面３８の境界点３８ｃは、カム面部３８ｂと負荷ローラ３９の接触点に対して前側に位置する。カバー２３を下側へ回動させるためには、引張りコイルばね４１のばね力に抗して境界点３８ｃが負荷ローラ３９の外周面との接触点を乗越える必要がある。このため、引張りコイルばね４１のばね力を越える下向きの力をカバー２３に加えなければならず、みだりにカバー２３が下向きに回動することはない。
カバー２３を起立位置Ｂから下向きに回動させる場合には、引張りコイルばね４１のばね力を上回る下向きの力をカバー２３に加えて、ヒンジカム３５のカム面３８の境界点３８ｃを負荷ローラ３９の外周面を越えさせる。カバー２３の回動と一体にヒンジカム３５が回動すると、そのカム面３８に接触する負荷ローラ３９も摩擦によりローラ軸４０を中心に回転する。このため、ヒンジカム３５は、負荷ローラ３９のころがり接触により負荷部材による大きな抵抗がなく円滑且つ軽快に回動し、カバー２３も円滑に回動する。負荷ローラ３９は、ヒンジカム３５を介してカバー２３に対して負荷を加えているので、カバー２３が急激に回動することがなく安全である。
【手続補正１７】
【補正対象書類名】明細書
【補正対象項目名】００２２
【補正方法】変更
【補正の内容】
【００２２】
このようにカバー２３とともにヒンジカム３５が回動すると、ヒンジカム３５のカム面３８に接触する負荷ローラ３９が回転する。すなわち、カム面３８に負荷ローラ３９がころがり接触するので、カバー２３は円滑に回動することができる。また、負荷ローラ３９は簡素な構成で常に安定してヒンジカム３５のカム面３８に接触する。これにより、カバー２３を円滑に回動させ、且つ倒伏位置Ａおよび起立位置Ｂに安定して保持できる。
【手続補正１８】
【補正対象書類名】明細書
【補正対象項目名】００２３
【補正方法】変更
【補正の内容】
【００２３】
また、負荷ローラ３９に引張りコイルばね４１による力を加えることにより、簡素な構成でありながらカバー２３が倒伏位置Ａおよび起立位置Ｂで停止する時と回動する時にかかわらず、負荷ローラ３９が常にヒンジカム３５のカム面３８に安定して接触する。
【手続補正１９】
【補正対象書類名】明細書
【補正対象項目名】００２４
【補正方法】変更
【補正の内容】
【００２４】
さらに、カバー２３の回動とともにヒンジカム３５が回動して、ヒンジカム３５のカム面３８に接触する負荷ローラ３９が回転するので、ヒンジカム３５のカム面３８に接触する負荷ローラ３９の接触部分がヒンジカム３５の回動とともに変化する。このため、負荷ローラ３９の外周面が周方向に沿って均一に摩耗するので、ヒンジカム３５のカム面３８と負荷ローラ３９との接触状態が一定となり、カバー２３の回動状態も変動することなく一定である。
【手続補正２０】
【補正対象書類名】明細書
【補正対象項目名】００２６
【補正方法】変更
【補正の内容】
【００２６】
【発明の効果】
本発明のカバー回動支持装置によれば、カバーとともにヒンジカムが回動すると、負荷ローラが回転してヒンジカムのカム面にころがり接触し、これによりカバーを円滑に回動することができる。
【手続補正２１】
【補正対象書類名】明細書
【補正対象項目名】００２７
【補正方法】変更
【補正の内容】
【００２７】
また、負荷ローラに弾性部材を介して力を加えることにより、簡素な構成でありながらカバーの停止時および回動時にかかわらず、常に負荷ローラがヒンジカムのカム面に安定して接触する。
【手続補正２２】
【補正対象書類名】明細書
【補正対象項目名】００２８
【補正方法】変更
【補正の内容】
【００２８】
さらに、カバーの回動とともにヒンジカムが回動してそのカム面に接触する負荷ローラが回転するので、カム面に接触する負荷ローラの接触部分がヒンジカムの回動とともに変化する。そのため、負荷ローラが周方向に沿って均一に磨耗するので、ヒンジカムのカム面と負荷ローラとの接触状態が一定となり、カバーの回動状態も変動することなく一定となる。